(57)【要約】【課題】安定的な保持が可能でありながらも、施工時における止具の治具の操作性を向上し得るパネル端部保持構造を提供する。【解決手段】壁面２に沿わせて配設されたパネル１３の床側または天井側の固定対象３に近接する側の端部１４（１５）を保持するパネル端部保持構造であって、前記固定対象に固定される固定片部１０と前記パネルの前面側を覆うカバー片部１１とを連結する連結部１２を支点に折り曲げ可能とされた端部保持材１を用い、前記固定対象に止具６によって固定された前記端部保持材の固定片部の反固定対象側に配設された前記パネルの端部に、前記連結部を介して前記固定片部に対して折り曲げた前記カバー片部を止具７によって固定して前記パネルの端部を保持する構造とされている。【選択図】図１
2014152553.tif 000002
【特許請求の範囲】
【請求項１】
壁面に沿わせて配設されたパネルの床側または天井側の固定対象に近接する側の端部を保持するパネル端部保持構造であって、
前記固定対象に固定される固定片部と前記パネルの前面側を覆うカバー片部とを連結する連結部を支点に折り曲げ可能とされた端部保持材を用い、前記固定対象に止具によって固定された前記端部保持材の固定片部の反固定対象側に配設された前記パネルの端部に、前記連結部を介して前記固定片部に対して折り曲げた前記カバー片部を止具によって固定して前記パネルの端部を保持する構造とされていることを特徴とするパネル端部保持構造。
【請求項２】
請求項１において、
前記端部保持材の固定片部の前記壁面に直交する方向に沿う寸法を、前記パネルの厚さ寸法と略同寸法としたことを特徴とするパネル端部保持構造。
【請求項３】
請求項１または２において、
前記端部保持材のパネル幅方向に沿う長さ寸法を、パネル幅方向に隣り合うように配設された複数枚のパネルに跨る寸法としたことを特徴とするパネル端部保持構造。
【請求項４】
請求項１乃至３のいずれか一項において、
前記端部保持材の連結部を、軟質系材料からなる軟質部としたことを特徴とするパネル端部保持構造。
【発明の詳細な説明】
【技術分野】
【０００１】
本発明は、壁面に沿わせて配設されたパネルの床側または天井側の端部を保持するパネル端部保持構造に関する。
【背景技術】
【０００２】
従来より、壁下地や既存の壁体の壁面に対して、新設や、さらには断熱性や遮音性等の機能を付与するために、パネルを配設することが行われている。このようなパネルを、例えば、コンクリート構造の壁面や石膏ボードで構成された壁面等のように、釘やねじ等の止具を打ち込んだり、ねじ込んだりし難い壁面に固定する場合には、接着剤や両面テープ等を用いて固定することも考えられる。しかしながら、このように止具を用いずに接着剤や両面テープ等を用いてパネルを壁面に固定した場合には、施工のばらつきや壁面に生じた不陸等によって、また、接着剤や両面テープ等の経年劣化によって、パネルが壁面から脱離し易くなるようなことも考えられる。
【０００３】
例えば、下記特許文献１では、コンクリート壁に内壁パネルを取り付ける構造が提案されている。この取り付け構造では、床面及び天井のそれぞれに長尺で溝型のパネル保持材を配置固定し、下内壁パネル及び上内壁パネルをこれらのパネル保持材に垂直に配置し、コンクリート壁に内壁パネルを並列配置するようにした構造とされている。また、この内壁パネルの取り付け構造では、床面及び天井に配置固定されたパネル保持材の開放部に、それぞれ下内壁パネルの下端部及び上内壁パネルの上端部を嵌め込ませた構造とされている。
【先行技術文献】
【特許文献】
【０００４】
【特許文献１】特開２００４−２７８１３２号公報
【発明の概要】
【発明が解決しようとする課題】
【０００５】
ところで、上記のように壁面に沿わせてパネルを配設する場合には、室内空間を有効利用する観点等から薄型のパネルが望まれ、これに伴いパネルの上端側及び下端側に配設される上記のようなパネル保持材のパネル厚さ方向に沿う寸法も小さくなる。
しかしながら、このようなパネル厚さ方向に沿う寸法が小さい溝型のパネル保持材を、壁面に沿わせて止具によって床や天井に固定する場合には、壁際での作業になるため、止具の治具が壁やパネル保持材の手前側片部等に干渉し易くなる。そのため、止具を床や天井に対してねじ込み（打ち込み）難くなることが考えられ、更なる改善が望まれる。
【０００６】
本発明は、上記実情に鑑みてなされたものであり、安定的な保持が可能でありながらも、施工時における止具の治具の操作性を向上し得るパネル端部保持構造を提供することを目的とする。
【課題を解決するための手段】
【０００７】
上記目的を達成するために、本発明に係るパネル端部保持構造は、壁面に沿わせて配設されたパネルの床側または天井側の固定対象に近接する側の端部を保持するパネル端部保持構造であって、前記固定対象に固定される固定片部と前記パネルの前面側を覆うカバー片部とを連結する連結部を支点に折り曲げ可能とされた端部保持材を用い、前記固定対象に止具によって固定された前記端部保持材の固定片部の反固定対象側に配設された前記パネルの端部に、前記連結部を介して前記固定片部に対して折り曲げた前記カバー片部を止具によって固定して前記パネルの端部を保持する構造とされていることを特徴とする。
【０００８】
本発明においては、前記端部保持材の固定片部の前記壁面に直交する方向に沿う寸法を、前記パネルの厚さ寸法と略同寸法としてもよい。
また、本発明においては、前記端部保持材のパネル幅方向に沿う長さ寸法を、パネル幅方向に隣り合うように配設された複数枚のパネルに跨る寸法としてもよい。
また、本発明においては、前記端部保持材の連結部を、軟質系材料からなる軟質部としてもよい。
【発明の効果】
【０００９】
本発明に係るパネル端部保持構造は、上述のような構成としたことで、安定的な保持が可能でありながらも、施工時における止具の治具の操作性を向上させることができる。
【図面の簡単な説明】
【００１０】
【図１】本発明の一実施形態に係るパネル端部保持構造の一例を模式的に示す一部破断概略縦断面図である。
【図２】（ａ）、（ｂ）は、いずれも同パネル端部保持構造の施工手順の一例を模式的に示す一部破断概略斜視図である。
【図３】（ａ）、（ｂ）は、いずれも同施工手順の一例を模式的に示す一部破断概略斜視図である。
【発明を実施するための形態】
【００１１】
以下に本発明の実施の形態について、図面に基づいて説明する。
なお、一部の図では、他図に付している詳細な符号の一部を省略している。
また、以下の実施形態では、端部保持材やパネル等を施工した状態において、当該パネルに対面した状態を基準として、手前側を前方側とし、前後方向や上下方向等の方向を説明する。
【００１２】
図１〜図３は、本実施形態に係るパネル端部保持構造の一例を模式的に示す図である。
本実施形態に係るパネル端部保持構造は、図１に示すように、壁面２に沿わせて配設されたパネル１３の床側または天井側の固定対象３に近接する側の端部１４（１５）を保持する構造とされている。また、当該パネル端部保持構造は、図１に示すように、固定対象３に固定される端部保持材１を用いてパネル１３の端部１４（１５）を保持する構造とされている。
本実施形態では、パネル端部保持構造として、固定対象３としての床４に固定された端部保持材１を用い、パネル１３の床４側の端部としての下端部１４を保持するパネル下端部保持構造を例示している。また、パネル端部保持構造として、固定対象３としての天井５に固定された端部保持材１を用い、パネル１３の天井５側の端部としての上端部１５を保持するパネル上端部保持構造を例示している。つまり、本実施形態では、パネル１３の上端部１５及び下端部１４を、上下の端部保持材１，１を用い、それぞれに保持する構造としている。
【００１３】
端部保持材１が固定される床側の固定対象３としては、床材や床下地等の床４としてもよく、また、端部保持材１が固定される天井側の固定対象３としては、天井材や天井下地等の天井５としてもよい。
パネル１３が固定される壁面２としては、釘やねじ等の止具を止着し難い難止着性の壁面２としてもよい。このような壁面２としては、例えば、止具をねじ込んだり、打ち込んだりし難く、若しくは専用の止具等が必要となるコンクリート構造等の壁面２としてもよい。または、ねじ込まれたり、打ち込まれた止具の保持強度が弱い石膏ボード等で構成された壁面２としてもよい。コンクリート構造の壁面２としては、建物内空間の壁面２としてもよく、一般的な鉄筋コンクリート構造の壁体の直壁（コンクリート仕上げ面）としてもよい。また、壁面２としては、コンクリート構造の壁体や石膏ボード等の室内面にクロス（壁紙）等が貼着されている場合には、クロス等を剥がした壁面等としてもよい。
【００１４】
パネル１３は、図３に示すように、複数枚を横並びに（パネル幅方向に）隣接させて、壁面２を略覆うように、壁面２の幅方向（左右方向）の略全幅に亘って配設される。また、これら複数枚のパネル１３は、互いに略同幅寸法とされている。また、壁面２の幅寸法に応じて、例えば、複数枚のパネル１３のうちの一枚の幅寸法を他のパネル１３の幅寸法と異ならせたものとしてもよい。
また、パネル１３の上下寸法は、床４から天井５までの上下寸法に概ね応じた寸法とされている。
このパネル１３は、比較的に薄型とされている。このパネル１３の厚さ寸法は、室内空間を有効利用する観点等から適宜設定するようにしてもよく、例えば、１０ｍｍ〜５０ｍｍ程度としてもよい。
また、パネル１３は、断熱性、調湿性、吸音性、防音性、耐熱性、抗菌性等の種々の機能を有した機能性パネルとしてもよい。
【００１５】
端部保持材１は、図１に示すように、固定対象３に固定される固定片部１０とパネル１３の前面側を覆うカバー片部１１とを連結する連結部１２を支点に折り曲げ可能とされている。
また、端部保持材１は、図１〜図３に示すように、固定片部１０とカバー片部１１とを少なくとも平板状に展開した状態から略直交状となるまで連結部１２を支点として折り曲げ可能とされている。
また、本実施形態では、端部保持材１を、図２及び図３に示すように、長尺状としている。本実施形態では、端部保持材１のパネル幅方向に沿う長さ寸法（長さ寸法）を、パネル幅方向に隣り合うように配設された複数枚のパネル１３に跨る寸法としている。
この端部保持材１の長さ寸法は、パネル幅方向に隣り合う複数枚のパネル１３の幅方向の略全幅に亘る長さ寸法とされたものとしてもよい。または、端部保持材１の長さ寸法を、２，３枚のパネル１３の幅寸法に応じた寸法としてもよい。
【００１６】
固定片部１０及びカバー片部１１は、それぞれ略薄平板状とされており、当該端部保持材１の全長に亘る長さ寸法とされている。また、これら固定片部１０及びカバー片部１１は、互いに略同厚さ寸法とされている。
これら固定片部１０及びカバー片部１１の厚さ寸法は、例えば、０．５ｍｍ〜５ｍｍ程度としてもよい。
【００１７】
固定片部１０は、図２に示すように、その厚さ方向を上下方向に沿わせ、固定対象３（床４または天井５）に固定される。
また、本実施形態では、図２に示すように、固定片部１０の長手方向に沿って間隔を空けて複数の止具孔１０ａ，１０ａを設けている。これら止具孔１０ａ，１０ａは、それぞれ固定片部１０の厚さ方向に貫通するように形成され、固定片部１０を固定対象３に固定する止具６，６が挿通される構成とされている。
また、本実施形態では、端部保持材１の固定片部１０の壁面２に直交する方向に沿う寸法（幅寸法）を、パネル１３の厚さ寸法と略同寸法としている。
【００１８】
カバー片部１１は、図２及び図３に示すように、その厚さ方向をパネル１３の厚さ方向に沿わせ、パネル１３の厚さ方向室内面（前面）に固定される。
図例では、このカバー片部１１の幅寸法（厚さ方向及び長さ方向に直交する方向に沿う寸法）を、固定片部１０の幅寸法よりも大きい寸法としている（図１参照）。このカバー片部１１の幅寸法は、当該カバー片部１１のパネル１３への固定性やパネル１３の端部１４（１５）の保持性等の観点から適宜設定するようにしてもよい。例えば、このカバー片部１１の幅寸法を、２０ｍｍ〜１００ｍｍ程度としてもよい。
なお、固定片部１０と同様に、カバー片部１１に、カバー片部１１をパネル１３に固定する止具７が挿通される複数の止具孔を、長手方向に沿って間隔を空けて設けるようにしてもよい。
【００１９】
連結部１２は、本実施形態では、軟質系材料からなる軟質部とされている。
また、本実施形態では、連結部１２を、固定片部１０及びカバー片部１１の長手方向に沿って略全長に亘って設けている。
また、連結部１２は、当該連結部１２を支点に端部保持材１を折り曲げた状態で、破断等しないように可撓性を有した軟質部とされている。
なお、このように、連結部１２を軟質部とした場合には、端部保持材１の固定片部１０及びカバー片部１１を硬質系の合成樹脂系材料からなるものとし、これらと連結部１２とを異材質成形（二色成形）等によって一体的に形成したものとしてもよい。または、連結部１２を軟質系材料等からなる略棒状体とし、適宜の接着剤等によってこれらを固定片部１０及びカバー片部１１に接合し、連結した態様としてもよい。
【００２０】
また、連結部１２を、図２（ａ）に示すように、床４等に載置した自然状態で、当該端部保持材１が平板状に展開された状態となるように、固定片部１０とカバー片部１１とを連結する構成とされたものとしてもよい。このように端部保持材１が平板状に展開された状態では、固定片部１０及びカバー片部１１の厚さ方向両面が互いに略同一平面状となる。
上記のような構成により、図３（ａ）及び（ｂ）に示すように、固定片部１０及びカバー片部１１は、一方が他方に対して連結部１２を介して折り曲げ可能とされている。また、図１に示すように、固定片部１０が床４に固定された状態で、カバー片部１１が連結部１２を介して固定片部１０に対して立ち上がるように折り曲げ可能とされている。また、図１に示すように、固定片部１０が天井５に固定された状態で、カバー片部１１が連結部１２を介して固定片部１０に対して垂れ下がるように折り曲げ可能とされている。
【００２１】
次に、上記構成とされた端部保持材１を用いたパネル端部保持構造の施工手順の一例について説明する。
まず、上下の端部保持材１，１を、それぞれの固定対象３としての床４及び天井５にそれぞれ固定する。この際、図２（ａ）及び（ｂ）に示すように、平板状に展開された状態の端部保持材１，１を、固定片部１０，１０の壁面２側端面を壁面２に当接させ、固定片部１０，１０を止具６，６によって固定対象３（床４及び天井５）に固定する。
なお、この際、固定片部１０，１０の反固定対象３側から上下方向に沿うように止具６，６を固定片部１０，１０の止具孔１０ａ，１０ａを介して固定対象３に対してねじ込んで（打ち込んで）、固定片部１０，１０を固定対象３に固定するようにしてもよい。また、止具６，６を操作する治具が壁面２に干渉するような場合には、固定片部１０，１０の斜め前方側から止具６，６を固定対象３に対してねじ込んで（打ち込んで）、固定片部１０，１０を固定対象３に固定するようにしてもよい。
【００２２】
次いで、図３（ａ）に示すように、パネル１３を壁面２に沿わせて固定する。これにより、パネル１３の上端部１５及び下端部１４が、それぞれの固定対象３に固定された端部保持材１，１の固定片部１０，１０に、それぞれの固定対象３側の端面を当接または近接させるように、固定片部１０，１０の反固定対象３側に位置付けられる。
なお、この際、パネル１３を、接着剤や粘着材等を用いて壁面２に固定するようにしてもよい。
【００２３】
次いで、図３（ｂ）に示すように、端部保持材１，１のカバー片部１１，１１を、連結部１２，１２を介して固定片部１０，１０に対して折り曲げ、パネル１３の上端部１５及び下端部１４に止具７，７によって固定する。
図例では、カバー片部１１，１１を、そのパネル１３側面をパネル１３の前面に当接させ、その前方側から止具７，７をねじ込んで（打ち込んで）、パネル１３の前面に固定した例を示している（図１参照）。
この際、図１に示すように、パネル１３の前面に対して略垂直方向となるように、カバー片部１１，１１の反パネル１３側から止具７，７をパネル１３に対してねじ込んで（打ち込んで）、カバー片部１１，１１をパネル１３に固定するようにしてもよい。
このように、カバー片部１１，１１をパネル１３の上端部１５及び下端部１４に固定した状態では、上下の端部保持材１，１は、パネル１３の幅方向に見て（側面視して）、略Ｌ字形状となる。
【００２４】
なお、カバー片部１１，１１をパネル１３に固定する止具７，７としては、カバー片部１１，１１をパネル１３に固定した状態で、その先端部が壁面２に到達しないものとしてもよい。例えば、止具７，７としては、図１に示すように、長さ寸法がパネル１３の厚さ寸法よりも小さい寸法とされたものとしてもよい。
なお、パネル１３を、枠体内に種々の機能性材料を充填したようなフラッシュ状パネルとした場合等には、止具７，７の止着が可能な部位にねじ込んで（打ち込んで）、カバー片部１１，１１をパネル１３に固定するようにしてもよい。
また、上記した固定片部１０，１０の床４及び天井５への固定態様、及びカバー片部１１，１１のパネル１３への固定態様としては、止具６，７に加えて、接着剤や粘着材等を併用して固定するようにしてもよい。
【００２５】
上記のような構成により、当該パネル端部保持構造は、図１に示すように、固定対象３に止具６によって固定された端部保持材１の固定片部１０の反固定対象側にパネル１３の端部１４（１５）が配設された構造とされている。また、そのパネル１３の端部１４（１５）に、連結部１２を介して固定片部１０に対して折り曲げたカバー片部１１を止具７によって固定してパネル１３の端部１４（１５）を保持する構造とされている。
【００２６】
また、本実施形態では、図１に示すように、パネル１３の下端部１４の前面に固定されたカバー片部１１の前面側を覆うように巾木１６を設けた構造としている。
この巾木１６は、図１に示すように、比較的に長尺の略帯板状体とされている。この巾木１６は、壁面２に配設された複数枚のパネル１３の幅方向の略全長に亘って配設されるものとしてもよい。
また、巾木１６は、パネル１３の下端部１４の前面を少なくとも覆うように形成されており、その幅寸法（上下方向に沿う寸法）が端部保持材１のカバー片部１１の幅寸法よりも大とされている。このような構成により、パネル１３の下端部１４を保持する端部保持材１（カバー片部１１）を目立ち難くすることができる。
また、巾木１６には、その前面の長手方向の略全長に亘って、前方側に向けて開口する溝部１７が設けられている。
【００２７】
この巾木１６は、その長さ寸法が壁面２の幅方向の略全長に亘る長さ寸法とされたものとしてもよい。または、壁面２の幅方向の略全長に亘る長さ寸法よりも短い寸法とされたものを複数本設けた構造としてもよい。
また、巾木１６は、木質系材料や合成樹脂系材料、金属系材料等から形成されたものとしてもよい。
また、巾木１６をパネル１３の前面側に固定する際には、巾木１６を、その下端面を床４に当接させ、そのパネル１３側面を端部保持材１のカバー片部１１の前面に当接させて、パネル１３の前面に固定するようにしてもよい。
また、巾木１６を、その前面の溝部１７に止具８をねじ込み（打ち込み）、パネル１３に固定するようにしてもよい。図例では、この溝部１７を、下側の端部保持材１のカバー片部１１の上端よりも上側に位置させた例を示している。
【００２８】
なお、上側の端部保持材１のカバー片部１１の前面側を覆うように、巾木１６を上下反転させたような形状の廻縁を更に設けた構造としてもよい。
また、必要に応じて、クロス（壁紙）等でパネル１３等を覆うようにしてもよい。
また、上記施工手順は一例であり、各部材及び各部の機能を阻害しない限りにおいて、別手順でなされるようにしてもよい。
【００２９】
本実施形態に係るパネル端部保持構造は、上述のような構成としたことで、安定的な保持が可能でありながらも、施工時における止具６の治具の操作性を向上させることができる。
つまり、パネル端部保持構造は、固定対象３に固定された端部保持材１の固定片部１０の反固定対象側に配設されたパネル１３の端部１４（１５）に、カバー片部１１を固定してパネル１３の端部１４（１５）を保持する構造とされている。従って、固定対象３に止具６によって固定された端部保持材１の固定片部１０に連結部１２を介して連結され、止具７によってパネル１３の端部１４（１５）に固定されたカバー片部１１によってパネル１３の端部１４（１５）を保持することができる。これにより、例えば、釘やねじ等の止具を用いずに接着剤や両面テープ等のみによってパネル１３を壁面２に固定したような場合と比べて、安定的な保持が可能となる。
また、端部保持材１は、固定片部１０とカバー片部１１とを連結する連結部１２を支点に折り曲げ可能とされている。従って、固定片部１０とカバー片部１１とを平板状に展開した状態の端部保持材１の固定片部１０を、固定対象３に対して止具６によって固定することができる。例えば、側面視して上向き略コ字状のパネル保持材やＬ字状とされた部材を固定対象３に固定する場合には、壁面２の手前側に片部が位置することとなり、パネル厚さ方向に小さい寸法となることと相俟って、止具の治具が壁面２や手前側片部等と干渉し易くなる。本実施形態によれば、このような場合と比べて、施工時における止具６の治具の操作性を向上させることができる。また、このように固定対象３に固定された端部保持材１のカバー片部１１を、連結部１２を介して固定片部１０に対して折り曲げ、パネル１３の端部１４（１５）に止具７によって固定することができる。
【００３０】
また、本実施形態では、端部保持材１の固定片部１０の壁面２に直交する方向に沿う寸法を、パネル１３の厚さ寸法と略同寸法としている。従って、端部保持材１の固定片部１０の壁面側端面を壁面２に当接させることで、この固定片部１０の壁面２に直交する方向の位置決めができる。これにより、例えば、固定片部１０の壁面２に直交する方向に沿う寸法をパネル１３の厚さ寸法よりも小さくしたようなものと比べて、端部保持材１を固定対象３に固定する際の作業性を向上させることができる。
なお、固定片部１０の壁面２に直交する方向に沿う寸法を、パネル１３の厚さ寸法よりも小さくしてもよい。この場合は、固定片部１０に対して折り曲げたカバー片部１１がパネル１３の前面に当接する位置となるように、固定片部１０を、その壁面２側端面と壁面２との間に間隙を設けるように固定対象３に固定するようにしてもよい。
【００３１】
また、本実施形態では、端部保持材１のパネル幅方向に沿う長さ寸法を、パネル幅方向に隣り合うように配設された複数枚のパネル１３に跨る寸法としている。従って、単一の端部保持材１を用いて複数枚のパネル１３の端部１４（１５）を保持することができる。これにより、例えば、単一の端部保持材１を用いて単一のパネル１３の端部１４（１５）を保持する態様とした場合と比べて、作業性を向上させることができる。
なお、端部保持材１のパネル幅方向に沿う長さ寸法を、単一のパネル１３の幅寸法内に収まる寸法とし、単一のパネル１３に対して単一の端部保持材１を用いたパネル端部保持構造としてもよい。
【００３２】
また、本実施形態では、端部保持材１の連結部１２を、軟質系材料からなる軟質部としている。従って、例えば、連結部１２を蝶番によって構成した場合と比べて、端部保持材１のカバー片部１１とパネル１３前面との隙間の発生を抑制することができる。また、壁面２の不陸やパネル１３の施工誤差等によってパネル１３の前面に不陸等があるような場合にも、端部保持材１のカバー片部１１をパネル１３の前面に当接させ易くすることができる。
なお、連結部１２としては、上記のような軟質部に限られず、例えば、固定片部１０及びカバー片部１１の厚さ方向一方側の面（表面または裏面）側にこれら固定片部１０及びカバー片部１１の連結部位に跨るように貼着された粘着テープ等としてもよい。この場合は、端部保持材１の厚さ方向一方側の面（表面または裏面）側の略全面に粘着テープを貼着するようにしてもよい。さらには、連結部１２を、固定片部１０及びカバー片部１１同士を連結する蝶番部材等としてもよい。また、このような連結部１２の構成や連結態様等によっては、固定片部１０及びカバー片部１１を木質系材料や金属系材料等から形成されたものとしてもよい。また、連結部１２としては、上記した例に限られず、端部保持材１を折り曲げ可能としながらも、固定片部１０とカバー片部１１とを強固に連結可能な種々の構成とされたものとしてもよい。
【００３３】
なお、本実施形態では、パネル１３の上端部１５及び下端部１４を、上下の端部保持材１，１を用いて保持する構造としたパネル端部保持構造を例示しているが、この態様に限定されない。例えば、パネル１３の上端部１５及び下端部１４のいずれか一方を、当該パネル端部保持構造によって保持し、他方の端部を他のパネル端部保持構造によって保持する構造としてもよい。例えば、他方の端部を、他方の端部が嵌め込まれる側面視略コ字状とされた部材や側面視略Ｌ字状とされた部材を用いて保持する構造としてもよい。または、例えば、パネル１３の前面側を押さえるパネル押さえ部と、このパネル押さえ部の固定対象３側端部から反壁面２側に向けて突出するように設けられた突出片部とによって側面視略Ｌ字状とされた部材を用いて保持する構造としてもよい。
【符号の説明】
【００３４】
１          端部保持材
１０        固定片部
１１        カバー片部
１２        連結部
１３        パネル
１４        下端部（端部）
１５        上端部（端部）
２          壁面
３          固定対象
４          床（固定対象）
５          天井（固定対象）
６          止具
７          止具
【図１】
2014152553.tif 000003
【図２】
2014152553.tif 000004
【図３】
2014152553.tif 000005